(57)【要約】【課題】棺桶内にオゾンが付与された冷気と芳香成分が付与された冷気を選択的に供給して、遺体の保冷及び腐敗臭の抑制をことができる棺桶冷却装置を提供すること。【解決手段】棺桶本体１と蓋体５との間に配設される枠体１０と、枠体に形成される供給口１２に接続される供給ホース１７と枠体に形成される排出口１３に接続される排出ホース１８とを介して枠体に接続可能な冷気循環生成装置２０と、を備える棺桶保冷装置において、冷気循環生成装置は、循環路２３に冷却器２４と送風器２５を介設し、冷却器の気体排出側にオゾンを生成するオゾン生成器２６と循環路中を流れる気体に芳香成分を付与する芳香剤を着脱可能に収納する芳香剤収容室３０を介設すると共に、冷却器及び送風器の気体吸込側にオゾン吸収フィルタ４０を介設してなり、冷却器によって冷却された気体に、オゾン生成器によって生成されたオゾンを付与又は芳香成分を付与して、棺桶内に供給する。【選択図】図３
2012217707.tif 000002
【特許請求の範囲】
【請求項１】
上端が開口する棺桶本体と、上記棺桶本体の上端開口を着脱可能に塞ぐ蓋体との間に着脱可能に配設される枠体と、
上記枠体に形成される供給口に着脱可能に接続される供給ホースと、上記枠体に形成される排出口に着脱可能に接続される排出ホースとを介して上記枠体に接続可能な冷気循環生成装置と、を備える棺桶保冷装置であって、
上記冷気循環生成装置は、上記供給ホースを接続する吐出口と、上記排出ホースを接続する吸込口とを連通する循環路に、冷却器と送風器を介設し、上記冷却器の気体吐出側にオゾンを生成するオゾン生成器と循環路中を流れる気体に芳香成分を付与する芳香剤を着脱可能に収納する芳香剤収容室を介設すると共に、上記冷却器及び上記送風器の気体吸込側にオゾン吸収フィルタを介設してなり、上記冷却器によって冷却された気体に、上記オゾン生成器によって生成されたオゾンを付与、又は芳香成分を付与して、上記供給ホースを介して上記棺桶内に供給可能に形成してなる、ことを特徴とする棺桶保冷装置。
【請求項２】
請求項１記載の棺桶保冷装置において、
上記芳香剤収容室内の芳香剤の有無を検出する芳香剤有無検出センサと、上記芳香剤有無検出センサからの検出信号に基づいて、上記オゾン生成器のオン／オフ制御する制御手段とを更に具備してなる、ことを特徴とする棺桶保冷装置。
【請求項３】
請求項１記載の棺桶保冷装置において、
上記冷却器の気体吐出側の循環路は、上記オゾン生成器が介設される第１の分岐路と、上記芳香剤収容室が介設される第２の分岐路に分岐されており、上記第１の分岐路又は上記第２の分岐路への気体の流れを切り換える切換弁を具備してなる、ことを特徴とする棺桶保冷装置。
【請求項４】
請求項３記載の棺桶保冷装置において、
上記芳香剤収容室内の芳香剤の有無を検出する芳香剤有無検出センサと、上記芳香剤有無検出センサからの検出信号に基づいて、上記切換弁を駆動制御する制御手段とを更に具備してなる、ことを特徴とする棺桶保冷装置。
【請求項５】
請求項１ないし４のいずれかに記載の棺桶保冷装置において、
上記循環路における上記冷却器及び上記送風器の気体吸込側に介設され、循環路中を流れる気体の温度を検出する温度検出センサを介設し、上記温度検出センサからの検出信号に基づいて上記冷却器、上記送風器及び上記オゾン生成器を出力制御する制御手段を更に具備してなる、ことを特徴とする棺桶保冷装置。
【請求項６】
請求項１ないし５のいずれかに記載の棺桶保冷装置において、
上記枠体には、一端が上記供給口に連通し、他端側に上記棺桶内に冷気を吹き出す吹出口を有する冷気供給ホースを設けてなる、ことを特徴とする棺桶保冷装置。
【請求項７】
請求項１ないし５のいずれかに記載の棺桶保冷装置において、
上記枠体には、一端が上記供給口に連通し、側面に複数の吹出口が形成された冷気供給ホースを設けてなる、ことを特徴とする棺桶保冷装置。
【発明の詳細な説明】
【技術分野】
【０００１】
この発明は、遺体を収納する棺桶内を保冷する棺桶保冷装置に関する。
【背景技術】
【０００２】
一般に、人が死亡すると、その遺体は木製の棺桶内に安置された状態で通夜及び葬式が行われ、その後、棺桶ごと焼却されて荼毘に付される。棺桶内に収納された遺体を保存する手段としてドライアイスを棺桶内に挿入する方法が知られているが、ドライアイスは時間の経過と共に蒸発して消滅するため、ドライアイスを棺桶内に適宜補給しなければならず手間がかかる。また、二酸化炭素は地球温暖化等の要因の一つであるため、ドライアイスを使用するのが好ましくないという問題がある。
【０００３】
従来、ドライアイスを用いない保冷方法として、上部が開口した棺桶本体と、棺桶本体の上に被さり、内側には冷却配管が設けられている冷却用蓋と、フレキシブルチューブを介して冷却機よって冷却される液体冷媒を冷却配管に供給する冷媒装置と、棺桶本体の上に被さり、火葬時には冷却用蓋と差し替えて使用する火葬用蓋と、冷却用蓋に設けられ棺桶本体内の空気を攪拌するファンとを具備する冷却機構を有する棺桶装置が知られている（例えば、特許文献１参照）。
【０００４】
また、別の保冷方法として、冷却手段と、送風手段と、棺桶の本体と蓋体間に着脱自在に設けられる枠状部材と、枠状部材に開口した吹出口及び吸引口に対して着脱可能とされた吐出側ホース及び吸込側ホースとを備える棺桶冷却装置が知られている。該棺桶冷却装置は、送風手段の運転により、冷却手段の冷却部と熱交換した冷気を吐出側ホースから棺桶内に吐出すると共に、吸込側ホースより棺桶内の空気を吸い込む循環経路を形成し、その循環経路中には、脱臭手段例えばオゾン脱臭器を配置する（例えば、特許文献２参照）。
【先行技術文献】
【特許文献】
【０００５】
【特許文献１】特開２００３−２３０６１０号公報
【特許文献２】特開平９−９４２７５号公報
【発明の概要】
【発明が解決しようとする課題】
【０００６】
しかしながら、特許文献１に記載の棺桶冷却装置においては、液体冷媒を供給する冷却配管が設けられた冷却用蓋を有するため構造が複雑であると共に、火葬時には火葬用蓋と差し替えなければならず作業が面倒である。また、冷却配管に結露した水滴が棺桶内に落下する虞がある。
【０００７】
また、棺桶の中に安置されているのは偲ばれる故人であり、液体冷媒が流れる冷却配管が設けられている冷却用蓋を、遺体が安置された棺桶本体の上に被せるのは遺族に不快感を与える虞がある。更に、棺桶を構成する冷却用蓋に設けられたファンが発生する稼働音は遺族に不快感を与える虞がある。
【０００８】
一方、特許文献２に記載の棺桶冷却装置においては、棺桶の本体と蓋体間に設けられる枠状部材を介して冷気を供給するため、上記のような問題は改善されているが、遺体は腐敗臭の元となる成分を発し続けるため、冷気循環経路中に配置されるオゾン脱臭器の脱臭作用のみでは腐敗臭を完全に除去するのは容易ではない。例えば、棺桶の蓋を取り外した状態で、葬儀の参列者が生花を棺桶内の遺体の周囲に載置する際など、参列者に腐敗臭により不快感を与える虞がある。
【０００９】
このような腐敗臭を紛らわせるために、芳香剤の芳香作用により棺桶内の気体に香りを付けてもよいが、芳香剤の芳香成分が循環経路を循環してオゾン脱臭器の脱臭作用により芳香作用を失うことが考えられる。このように、オゾンと芳香成分の双方は相容れない問題がある。
【００１０】
また、循環経路中にオゾン脱臭器を設置した場合、生成されたオゾンが循環経路中を循環し、オゾンの酸化力により送風手段や冷却手段等の他の機器に錆や腐食を発生させる虞がある。
【００１１】
この発明は、上記事情に鑑みてなされたもので、棺桶本内にオゾンが付与された冷気と芳香成分が付与された冷気を選択的に供給して、遺体の保冷及び腐敗臭の抑制をすることができる棺桶冷却装置を提供することを目的とするものである。
【課題を解決するための手段】
【００１２】
上記課題を解決するために、この発明の棺桶保冷装置は、上端が開口する棺桶本体と、上記棺桶本体の上端開口を着脱可能に塞ぐ蓋体との間に着脱可能に配設される枠体と、  上記枠体に形成される供給口に着脱可能に接続される供給ホースと、上記枠体に形成される排出口に着脱可能に接続される排出ホースとを介して上記枠体に接続可能な冷気循環生成装置と、を備える棺桶保冷装置であって、  上記冷気循環生成装置は、上記供給ホースを接続する吐出口と、上記排出ホースを接続する吸込口とを連通する循環路に、冷却器と送風器を介設し、上記冷却器の気体吐出側にオゾンを生成するオゾン生成器と循環路中を流れる気体に芳香成分を付与する芳香剤を着脱可能に収納する芳香剤収容室を介設すると共に、上記冷却器及び上記送風器の気体吸込側にオゾン吸収フィルタを介設してなり、上記冷却器によって冷却された気体に、上記オゾン生成器によって生成されたオゾンを付与、又は芳香成分を付与して、上記供給ホースを介して上記棺桶内に供給可能に形成してなる、ことを特徴とする（請求項１）。
【００１３】
このように構成することにより、棺桶内にオゾンが付与された冷気と芳香成分が付与された冷気を選択的に供給して、芳香成分がオゾンにより失われることを防止し、棺桶内の気体に対してオゾンの脱臭作用と芳香成分の芳香作用を確実に選択的に作用させることができる。ここで脱臭作用とは、臭気の元となる成分をオゾンにより分解酸化させる作用である。
【００１４】
また、冷却器及び送風器の気体吸込側にオゾン吸収フィルタを介設することにより、オゾンが循環路を流れ、オゾンの酸化作用によって冷却器や送風器に錆や腐食が発生するのを防止することができる。
【００１５】
この場合、芳香剤収容室内に芳香剤を収容した際には、オゾン生成器の稼働を停止する必要があるので、上記芳香剤収容室内の芳香剤の有無を検出する芳香剤有無検出センサと、上記芳香剤有無検出センサからの検出信号に基づいて、上記オゾン生成器のオン／オフ制御する制御手段とを更に具備する方が好ましい（請求項２）。
【００１６】
このように構成することにより、芳香剤収容室内に芳香剤を収容した際に、制御手段はオゾン生成器をオフ制御してオゾンの生成を停止することができるため、棺桶内の気体に対してオゾンの脱臭作用と芳香成分の芳香作用を更に確実に選択的に作用させることができる。
【００１７】
また、上記冷却器の気体吐出側の循環路は、上記オゾン生成器が介設される第１の分岐路と、上記芳香剤収容室が介設される第２の分岐路に分岐されており、上記第１の分岐路又は上記第２の分岐路への気体の流れを切り換える切換弁を具備する方が好ましい（請求項３）。
【００１８】
このように構成することにより、切換弁により第１の分岐路又は第２の分岐路への気体の流れを切り換えて、棺桶内にオゾンが付与された冷気と芳香成分が付与された冷気を選択的に供給することができ、冷気へのオゾンの付与と芳香成分の付与の併用を防止することができると共に、オゾンが付与された冷気が芳香剤収容室内を通過するのを防止することができる。これにより、芳香成分がオゾンにより失われることを防止することができる。
【００１９】
この場合、上記芳香剤収容室内の芳香剤の有無を検出する芳香剤有無検出センサと、上記芳香剤有無検出センサからの検出信号に基づいて、上記切換弁を駆動制御する制御手段とを更に具備する方が好ましい（請求項４）。
【００２０】
このように構成することにより、芳香剤収容室内に芳香剤を収容した際に、制御手段は切換弁を駆動制御して第２の分岐路へ気体の流れを切換えることができるため、棺桶内の気体に対してオゾンの脱臭作用と芳香成分の芳香作用を更に確実に選択的に作用させることができる。
【００２１】
また、上記循環路における上記冷却器及び上記送風器の気体吸込側に介設され、循環路中を流れる気体の温度を検出する温度検出センサを介設し、上記温度検出センサからの検出信号に基づいて上記冷却器、上記送風器及び上記オゾン生成器を出力制御する制御手段を更に具備する方が好ましい（請求項５）。
【００２２】
このように構成することにより、棺桶内を所望の温度に保持することができるため、遺体の保存状態を良好に保持することができる。
【００２３】
また、上記枠体には、一端が上記供給口に連通し、他端側に上記棺桶内に冷気を吹き出す吹出口を有する冷気供給ホースを設ける方が好ましく（請求項６）、また、上記枠体には、一端が上記供給口に連通し、側面に複数の吹出口が形成された冷気供給ホースを設けてもよい（請求項７）。
【００２４】
このように構成することにより、棺桶内に供給される冷気を均一化することができる。
【発明の効果】
【００２５】
この発明によれば、上記のように構成することにより、棺桶内にオゾンが付与された冷気と芳香成分が付与された冷気を選択的に供給して、棺桶内の気体に対してオゾンの脱臭作用と芳香成分の芳香作用を確実に選択的に作用させることができるため、遺体の保冷及び腐敗臭の抑制をすることができる。
【図面の簡単な説明】
【００２６】
【図１】第１実施形態に係る棺桶冷却装置を備えた棺桶の一例を示す斜視図である。
【図２】第１実施形態における枠体を備えた棺桶の分解斜視図である。
【図３】第１実施形態に係る棺桶冷却装置の概略構成図である。
【図４】図３におけるＩ−Ｉ線に沿う断面図である。
【図５】第１実施形態におけるフィルタ収容室の正面図（ａ）及び（ａ）におけるＩＩ−ＩＩ線に沿う断面図（ｂ）である。
【図６】第１実施形態における芳香剤収容室の正面図（ａ）、（ａ）におけるＩＩＩ−ＩＩＩ線に沿う断面図（ｂ）及び（ｂ）のＩＶ部拡大断面図（ｃ）である。
【図７】第１実施形態に係る棺桶冷却装置の操作部を示す概略拡大正面図である。
【図８】第２実施形態に係る棺桶冷却装置の概略構成図である。
【図９】第３実施形態における枠体を示す概略構成図（ａ）及び第４実施形態における枠体を示す概略構成図（ｂ）である。
【発明を実施するための形態】
【００２７】
以下に、この発明に係る棺桶冷却装置を添付図面に基づいて詳細に説明する。
【００２８】
＜第１実施形態＞
第１実施形態に係る棺桶冷却装置は、図１に示すように、上端が開口する棺桶本体１と、棺桶本体１の上端開口２を着脱可能に塞ぐ蓋体５との間に着脱可能に配設される枠体１０と、枠体１０に形成される供給口１２に着脱可能に接続される供給ホース１７と、枠体１０に形成される排出口１３に着脱可能に接続される排出ホース１８を介して枠体１０に接続可能な冷気循環生成装置２０と、で主に構成されている。
【００２９】
この場合、棺桶本体１は、図１，図２及び図４に示すように、例えば木材によって形成され、矩形枠状に配置される側板１ａと、側板１ａの下端を塞ぐ底板１ｂによって形成され、側板１ａの上端には、上端開口２が形成されている。
【００３０】
蓋体５は、図１，図２及び図４に示すように、例えば木材によって形成され、矩形状に形成される蓋板５ａと、蓋板５ａの裏面側の角部にそれぞれ接合される係合片５ｂと、蓋板５ａの表面方向に観音開きに開放可能な窓部５ｃと、により構成されている。係合片５ｂは、棺桶本体１の上端開口２の内周側のそれぞれの角部と係合し、棺桶本体１の上端開口２を着脱可能に塞ぐことができる。
【００３１】
枠体１０は、図１〜図４に示すように、例えば木材によって矩形枠状に形成されており、短辺側の一の側面には円形の供給口１２と排出口１３が開口されている。また、図２及び図４に示すように、枠体１０の上端には、棺桶本体１の上端開口２と同じ大きさの開口１１が形成されており、蓋体５の係合片５ｂが、枠体１０の開口１１の内周側のそれぞれの角部に係合し、枠体１０の開口１１を着脱可能に塞ぐことができる。一方、枠体１０の下端には、嵌合段部１１Ａが形成されており、この嵌合段部１１Ａが棺桶本体１の上端開口２に着脱可能に嵌合される。
【００３２】
枠体１０には、図２〜図４に示すように、一端が供給口１２に連通し、他端側に棺桶内に冷気を吹き出す吹出口１６を有する冷気供給ホース１５が設けられている。冷気供給ホース１５は、例えば塩化ビニル製の円形パイプであって、枠体１０の内周に沿って長辺側の側面の中央付近に吹出口１６を配置して設置されている。
【００３３】
一方、排出口１３の内周側には、ゴミ吸引防止ネット１４により開口を被覆し、棺桶内のゴミが冷気循環生成装置２０側に流れるのを防止している。また、供給口１２と排出口１３の外周側には後述する供給ホース１７，排出ホース１８の着脱を容易にするためのカプラ６０Ａが取り付けてある。
【００３４】
供給ホース１７及び排出ホース１８は、例えば塩化ビニル製の円形パイプであって、その両端には枠体１０に形成される供給口１２，排出口１３及び後述する冷気循環生成装置２０に形成される吐出口２１，吸込口２２との着脱を容易にするためのカプラ６０Ｂ，６０Ｃが取り付けてある。なお、供給ホース１７及び排出ホース１８の外周は図示しない断熱材で被覆されている。
【００３５】
冷気循環生成装置２０は、図３に示すように、供給ホース１７を接続する吐出口２１と排出ホース１８を接続する吸込口２２とを連通する循環路２３に吸込口２２側から吐出口２１側に順に介設される冷却器２４と送風器であるファン２５と、冷却器２４の二次側すなわち気体吐出側に介設されるオゾンを生成するオゾン生成器２６及び、循環路２３中を流れる気体に芳香成分を付与する芳香剤３１を着脱可能に収納する芳香剤収容室３０と、冷却器２４及びファン２５の一次側すなわち気体吸込側に介設されるオゾン吸収フィルタ４０と、芳香剤収容室３０内の芳香剤３１の有無を検出する芳香剤有無検出センサ例えばマグネットセンサ３２と、冷却器２４及びファン２５の一次側すなわち気体吸込側に介設され循環路２３中を流れる気体の温度を検出する温度検出センサ２７と、各センサからの検出信号に基づいて冷却器２４、ファン２５及びオゾン生成器２６を制御する制御手段であるコントローラ５０と、で主に構成されている。
【００３６】
冷気循環生成装置２０は、図１，図３に示すように、略四面体状のステンレス製の筺体２０ａ備えており、筺体２０ａの一の側面には、供給ホース１７を接続する吐出口２１と排出ホース１８を接続する吸込口２２が開口されている。図３に示すように、吐出口２１と吸込口２２の外周側には供給ホース１７及び排出ホース１８の着脱を容易にするためのカプラ６０Ｄが取り付けてある。吐出口２１と吸込口２２は、例えば塩化ビニル製の円形パイプである循環路２３によって連通されており、循環路２３と循環路２３に介設される各機器は筺体２０ａ内に収められている。また、筺体２０ａの底面角部には、キャスタ２０ｂが装着されており、キャスタ２０ｂにより冷気循環生成装置２０の移動を容易にすることができる。更に、筺体２０ａの上板は、上方への開放が可能であると共に、筺体２０ａの底板は、冷却器２４等から落下する水滴を貯留可能なパン（図示せず）が配設されている。パンは、側方にスライドさせて取り外すことができる構造である。
【００３７】
冷却器２４は、例えばスターリング冷凍サイクルにより動作する熱交換器であって、循環路２３に介設されており、循環路２３の冷却器２４の一次側に介設されるファン２５により送られた気体を冷却する。なお、冷却器２４とファン２５はコントローラ５０に電気的に接続されており、コントローラ５０からの信号に基づいて循環される気体の温度及び気体の風量を出力制御される構造となっている。
【００３８】
オゾン生成器２６は、循環路２３における冷却器２４の二次側に介設されており、乾燥させた空気に交流電圧を印可して高圧放電を行うことにより空気中の酸素からオゾンを生成する装置である。なお、オゾン生成器２６はコントローラ５０に電気的に接続されており、コントローラ５０からの信号に基づいてオン／オフ制御がされると共に、オゾンの生成量を増減可能に出力制御される構造となっている。この場合、オゾン生成器２６は、オゾン生成器２６を通過する気体の風量に応じて、予め設定された一定量のオゾンを付与することができる。すなわち、オゾン生成器２６は、コントローラ５０の温度検出センサ２７からの検出信号に基づくファン２５の出力制御により設定される気体の風量に応じて、気体に付与するオゾンの生成量を増減させるようにコントローラ５０に出力制御されている。
【００３９】
オゾン吸収フィルタ４０は、例えば活性炭素繊維が吸着材として作用するフィルタ部材を矩形状に形成したものであって、オゾン吸収フィルタ４０を通過する気体中からオゾンを取り除くことができる。オゾン吸収フィルタ４０は、循環路２３における冷却器２４及びファン２５の一次側に介設されるステンレス製のフィルタ収容室４１に収納されており、図５に示すように、フィルタ収容室４１は、上端が開口するフィルタ収容容器４２と、フィルタ収容容器４２の上端開口をバックル部材４４により着脱可能に塞ぐ蓋体４３と、で主に構成されている。フィルタ収容容器４２内部には、ステー４５が両側部の上端から下端に渡って形成されており、開口から挿入されるオゾン吸収フィルタ４０を支持する。また、フィルタ収容容器４２の正面板４２ａ及び背面板４２ｂには、循環路２３を形成する円形パイプが接続する円形の孔部４２ｃが形成されている。
【００４０】
芳香剤収容室３０は、冷却器２４及びオゾン生成器２６の二次側に介設されており、図６に示すように、例えばステンレス製であって、上端が開口する芳香剤収容容器３３と、芳香剤収容容器３３の上端開口をバックル部材３５により着脱可能に塞ぐ蓋体３４と、で主に構成されている。芳香剤収容容器３３の正面板３３ａ及び背面板３３ｂには、循環路２３を形成する円形パイプが接続する円形の孔部３３ｃが形成されている。
【００４１】
芳香剤収容容器３３の上端開口からは、内部に例えばローズマリー，鈴蘭，檜等の香りがする粒状の芳香剤３１が充填されたカートリッジ３６が挿嵌することができる。図６（ｃ）に示すように、カートリッジ３６の正面板及び背面板は、複数の孔部３６ｂが形成された多孔板３６ａで形成されており、ファン２５により送られた冷気は多孔板３６ａによって分散、整流されてカートリッジ３６内部を流れ、粒状の芳香剤３１間を通過する際に芳香成分が付与される。
【００４２】
また、図６（ａ）に想像線で示すように、芳香剤収容室３０の芳香剤収容容器３３の底面には、芳香剤有無検出センサであるマグネットセンサ３２が設置されており、カートリッジ３６の底部に接着された磁石３６ｂの接合を検出することにより、芳香剤収容室３０内の芳香剤３１の有無を検出することができる。マグネットセンサ３２によって検出された検出信号は、コントローラ５０に伝達される。
【００４３】
温度検出センサ２７は、冷却器２４及びファン２５の一次側に介設され、循環路２３中を流れる気体の温度を検出することができる。温度検出センサ２７によって検出された検出信号は、コントローラ５０に伝達される。
【００４４】
コントローラ５０は、例えば、ＣＰＵ等のマイクロプロセッサから構成され、図示しない記憶部に記憶されているプログラムやデータ等のレシピ及び作業者の指令に従って、例えば冷却器２４、ファン２５及びオゾン生成器２６を制御する。例えばコントローラ５０は、温度検出センサ２７からの検出信号に基づいて冷却器２４、ファン２５及びオゾン生成器２６を出力制御し、また、マグネットセンサ３２からの検出信号に基づいて、オゾン生成器２６のオン／オフ制御することができるように構成されている。
【００４５】
また、コントローラ５０は、作業者がコントローラ５０に指令を与えるための操作部５１を備えている。図７に示すように、操作部５１は、筺体２０ａの他の側面に配置されており、冷気循環生成装置２０のオン／オフが設定可能な電源部５２、オゾン生成器２６のオン／オフ及びオゾン生成器２６を二段階の出力（強弱）に設定可能なオゾン設定部５３、オゾン生成器２６の稼働時間が設定可能なオゾン運転時間設定部５４、気体の目標温度（ＳＶ）が設定可能な冷却温度設定部５５等を備える。
【００４６】
また、温度検出センサ２７は、コントローラ５０に対し検出信号を時系列的に出力し、コントローラ５０はその検出信号により冷却温度設定部５５に直近の測定値（ＰＶ）を表示させることができる。
【００４７】
次に、第１実施形態に係る棺桶冷却装置の使用方法について説明する。まず、遺体が収納してある棺桶本体１の上端開口２を塞ぐ蓋体５との間に、枠体１０を配設する。供給ホース１７を枠体１０に形成される供給口１２と冷気循環生成装置２０の吐出口２１に接続すると共に、排出ホース１８を枠体１０に形成される排出口１３と冷気循環生成装置２０の吸込口２２に接続する。この場合、枠体１０の供給口１２と吐出口２１が形成された側を遺体の足側に配置して棺桶本体１と蓋体５の間に配設する。
【００４８】
そして、冷気循環生成装置２０の図示しない電源プラグを電源に接続し、操作部５１の電源部５２を操作して、冷気循環生成装置２０の電源をオンにすると、温度検出センサ２７から伝達された気体の温度の測定値が冷却温度設定部５５に表示される。
【００４９】
遺体を凍結させずに、棺桶内に安置された遺体の腐敗の進行を効果的に防止するためには、棺桶内の温度は３〜７℃に保持するのが効果的である。作業者は、冷却温度設定部５５により気体の目標温度を例えば３℃に設定入力する。コントローラ５０は、目標温度まで気体を冷却して保持するため、ファン２５を稼働させて気体の循環が開始されると共に冷却器２４を稼働させて気体の冷却を開始する。棺桶内の気体は、排出口１３の内周側開口を被覆するゴミ吸引防止ネット１４によりゴミが取り除かれ、枠体１０に形成される排出口１３、排出ホース１８を通過して、冷気循環生成装置２０の吸込口２２から循環路２３に流入し、オゾン吸収フィルタ４０を通過してファン２５及び冷却器２４に到達する。オゾン吸収フィルタ４０の二次側に介設される温度検出センサ２７は、コントローラ５０に対し検出信号を時系列に出力し続け、コントローラ５０はその検出信号に基づいて冷却器２４、ファン２５を出力制御して目標温度まで冷却して保持する。
【００５０】
次に、作業者は、オゾン設定部５３のダイヤルを操作、例えば強に設定して、オゾン生成器２６の電源をＯＮにする。コントローラ５０は、オゾン生成器２６を通過する気体の風量に応じて、予め設定された一定量のオゾンを付与するため、コントローラ５０の温度検出センサ２７からの検出信号に基づくファン２５の出力制御により設定される気体の風量に応じて、気体に付与するオゾンの生成量を増減させるように、オゾン生成器２６を出力制御する。なお、作業者は、オゾン運転時間設定部５４に所望の稼働時間を設定入力することにより、所望の時間オゾン生成器２６を稼働させることができる。
【００５１】
オゾン生成器２６によってオゾンを付与された冷気は、芳香剤３１の無い芳香剤収容室３０内を通過して、冷気循環生成装置２０の吐出口２１から排出ホース１８を介して、枠体１０内に配設される冷気供給ホース１５を通過して冷気供給ホース１５の吹出口１６から棺桶内に供給される。
【００５２】
棺桶内に供給されたオゾンは、オゾンの脱臭作用により腐敗臭の元となる成分を分解酸化するため、遺体の腐敗臭による不快感を軽減することができる。一方、棺桶内のオゾンが枠体１０の排出口１３から排出されると、冷気循環生成装置２０の循環路２３に配設されたオゾン吸収フィルタ４０に到達して気体からオゾンを取り除くことができる。このため、オゾンが循環路２３中を循環してファン２５や冷却器２４等に錆や腐食を発生させることを防止することができる。
【００５３】
以上の動作によって、棺桶内を所望の温度に保持して遺体を保冷して腐敗の進行を防止することができると共に、オゾンの脱臭作用により腐敗臭の元となる成分を分解酸化して腐敗臭を抑制することができる。
【００５４】
一方、作業者は、通夜式や告別式が開始する前に、筺体２０ａの上板を上方へ開放すると共に、芳香剤収容室３０の上端開口を塞ぐ蓋体３４を外し、芳香剤収容容器３３の上端開口２から、芳香剤３１が充填されたカートリッジ３６を挿嵌する。
【００５５】
芳香剤収容容器３３にカートリッジ３６を挿嵌されると、カートリッジ３６の底部に接着された磁石３６ｂの接合を検出するマグネットセンサ３２が、磁石３６ｂの接合を検出することにより芳香剤収容室３０内に芳香剤３１が有ることを検出し、検出信号をコントローラ５０に伝達する。
【００５６】
コントローラ５０は、マグネットセンサ３２からの検出信号に基づいて、オゾン生成器２６をオフ制御して、オゾンの生成を停止させる。これによって、冷却器２４によって冷却された気体は、オゾン生成器２６によってオゾンが付与されずに芳香剤収容室３０内を通過して芳香成分が付与されて、冷気循環生成装置２０の吐出口２１から排出ホース１８を介して、枠体１０内に配設される冷気供給ホース１５を通過して冷気供給ホース１５の吹出口１６から棺桶内に供給される。
【００５７】
以上の動作によって、棺桶内を所望の温度に保持して遺体を保冷して腐敗の進行を防止することができると共に、芳香成分の芳香作用により腐敗臭を紛らわせて、腐敗臭を抑制することができる。この際、オゾン生成器２６をオフ制御して、オゾンの生成を停止するため、芳香剤の芳香成分がオゾンによって分解酸化されることを防止することができる。
【００５８】
このように構成される第１実施形態に係る棺桶保冷装置によれば、冷却器２４によって冷却された気体に、オゾン生成器２６によって生成されたオゾンを付与又は芳香成分を付与して、供給ホース１７を介して棺桶内に供給することができるので、棺桶内にオゾンが付与された冷気と芳香成分が付与された冷気を選択的に供給して、芳香成分がオゾンにより失われることを防止し、棺桶内の気体に対してオゾンの脱臭作用と芳香成分の芳香作用を確実に選択的に作用させることができるため、遺体の保冷及び腐敗臭の抑制をすることができる。
【００５９】
また、冷却器２４及びファン２５の気体吸込側にオゾン吸収フィルタ４０を介設することにより、オゾンが循環路２３を流れ、オゾンの酸化作用によって冷却器２４やファン２５に錆や腐食が発生するのを防止することができるため、棺桶保冷装置の耐久性を向上させることができる。
【００６０】
また、芳香剤収容室３０内の芳香剤３１の有無を検出するマグネットセンサ３２と、マグネットセンサ３２からの検出信号に基づいて、オゾン生成器２６のオン／オフ制御するコントローラ５０とを具備することにより、芳香剤収容室３０内に芳香剤３１を収容した際に、コントローラ５０はオゾン生成器２６をオフ制御してオゾンの生成を停止することができるため、棺桶内の気体に対してオゾンの脱臭作用と芳香成分の芳香作用を更に確実に選択的に作用させ、遺体の保冷及び腐敗臭の抑制をすることができる。
【００６１】
また、循環路２３における冷却器２４の気体吸込側に介設され、循環路２３中を流れる気体の温度を検出する温度検出センサ２７を介設し、温度検出センサ２７からの検出信号に基づいて冷却器２４、ファン２５及びオゾン生成器２６を出力制御するコントローラ５０を更に具備してなることにより、棺桶内を所望の温度に保持することができるため、遺体の保存状態を良好に保持して、遺体の保冷及び腐敗臭の抑制をすることができる。
【００６２】
また、枠体１０には、一端が供給口１２に連通し、他端側に棺桶内に冷気を吹き出す吹出口１６を有する冷気供給ホース１５を設けてなることにより、棺桶内に供給される冷気を均一化して、遺体の保冷及び腐敗臭の抑制を図ることができる。
【００６３】
上述した第１実施形態に係る棺桶保冷装置は、芳香剤収容室３０内の芳香剤３１の有無を検出するマグネットセンサ３２を設け、コントローラ５０はマグネットセンサ３２からの検出信号に基づいてオゾン生成器２６のオフ制御を行ったが、オゾン生成器２６のオフ制御を作業者の手動で行ってもよい。例えば、マグネットセンサ３２は設置せず、作業者が、芳香剤収容室３０内に芳香剤３１が充填されたカートリッジ３６を挿嵌した際に、その都度、オゾン設定部５３を操作してオゾン生成器２６の電源をオフにすればよい。
【００６４】
＜第２実施形態＞
上述した第１実施形態に係る棺桶保冷装置は、循環路２３にオゾン生成器２６と芳香剤収容室３０を直列に配置したが、図８に示すように、冷却器２４の気体排出側の循環路２３Ａは、オゾン生成器２６が介設される第１の分岐路２３ｂと、芳香剤収容室３０が介設される第２の分岐路２３ｃと、に分岐され、第１の分岐路２３ｂと第２の分岐路２３ｃの分岐部に、気体の流れを切り換える切換弁２８を介設する方がよい。
【００６５】
第２実施形態に係る棺桶保冷装置における冷気循環生成装置２０Ａは、図８に示すように、供給ホース１７を接続する吐出口２１と排出ホース１８を接続する吸込口２２とを連通する循環路２３Ａに介設される冷却器２４と送風器であるファン２５と、冷却器２４の二次側すなわち気体吐出側で分岐された第１の分岐路２３ｂに介設されるオゾンを生成するオゾン生成器２６と、他方に分岐された第２の分岐路２３ｃに介設される芳香剤３１を着脱可能に収納する芳香剤収容室３０と、循環路２３Ａの分岐点に介設され気体の流れを切り換え可能な切換弁２８と、冷却器２４及びファン２５の一次側すなわち気体吸込側に介設されるオゾン吸収フィルタ４０と、芳香剤収容室３０内の芳香剤３１の有無を検出するマグネットセンサ３２と、冷却器２４の一次側すなわち気体吸込側に介設され循環路２３Ａ中を流れる気体の温度を検出する温度検出センサ２７と、各センサからの検出信号に基づいて冷却器２４、ファン２５、オゾン生成器２６及び切換弁２８を制御するコントローラ５０と、で主に構成されている。
【００６６】
切換弁２８は、例えば３ポート２位置電磁切換弁にて形成されており、第１の分岐路２３ｂ又は第２の分岐路２３ｃへの気体の流れを選択的に切換えることが可能である。切換弁２８は、コントローラ５０に電気的に接続されており、コントローラ５０からの制御信号に基づいて駆動制御し得るように形成されている。なお、切換弁２８は必ずしもこの構造に限定されるものではなく、例えばロータリ式切換弁であってもよい。
【００６７】
第１の分岐路２３ｂ及び第２の分岐路２３ｃは、例えば塩化ビニル製の円形パイプで形成され、オゾン生成器２６と芳香剤収容室３０の二次側すなわち吐出側で合流して一本の循環路２３Ａとなって吐出口２１に連通する。
【００６８】
なお、第２実施形態において、その他の部分は、第１実施形態と同じであるので、同一部分には同一符号を付して、説明は省略する。
【００６９】
次に、第２実施形態に係る棺桶冷却装置の使用方法について説明する。冷気循環生成装置２０Ａの図示しない電源プラグを電源に接続し、操作部５１の電源部５２を操作して、冷気循環生成装置２０Ａの電源をオンにすると、温度検出センサ２７から伝達された気体の温度の測定値が冷却温度設定部５５に表示される。
【００７０】
更に、マグネットセンサ３２が、磁石３６ｂの接合がないことを検出して、芳香剤収容室３０内に芳香剤３１が無いのを検出し、検出信号をコントローラ５０に伝達する。この信号によりコントローラ５０は、切換弁２８を駆動制御して第１の分岐路２３ｂに気体の流れを切換える。
【００７１】
作業者は、第１実施形態と同様に、冷却温度設定部５５により気体の目標温度を例えば３℃に設定入力する。コントローラ５０は、目標温度まで気体を冷却して保持する出力制御をするため、ファン２５を稼働させて気体の循環が開始されると共に冷却器２４を稼働させて気体の冷却を開始する。また、オゾン設定部５３のダイヤルを操作、例えば強に設定して、オゾン生成器２６の電源をＯＮにする。コントローラ５０は、オゾン生成器２６を通過する気体の風量に応じて、予め設定された一定量のオゾンを付与するため、コントローラ５０の温度検出センサ２７からの検出信号に基づくファン２５の出力制御により設定される気体の風量に応じて、気体に付与するオゾンの生成量を増減させるように、オゾン生成器２６を出力制御する。
【００７２】
冷却器２４から切換弁２８を介して第１の分岐路２３ｂに流れた冷気は、オゾン生成器２６によりオゾンを付与された後、冷気循環生成装置２０Ａの吐出口２１から排出ホース１８を介して、枠体１０内に配設される冷気供給ホース１５を通過して冷気供給ホース１５の吹出口１６から棺桶内に供給される。
【００７３】
以上の動作によって、棺桶内を所望の温度に保持して遺体を保冷して腐敗の進行を防止することができると共に、オゾンの脱臭作用により腐敗臭の元となる成分を分解酸化して腐敗臭を抑制することができる。
【００７４】
一方、作業者は、通夜式や告別式が開始する前に、作業者は筺体２０ａの上板を上方へ開放すると共に、芳香剤収容室３０の上端開口を塞ぐ蓋体３４を外し、芳香剤収容容器３３の上端開口２から、芳香剤３１が充填されたカートリッジ３６を挿嵌する。
【００７５】
芳香剤収容容器３３にカートリッジ３６を挿嵌されると、カートリッジ３６の底部に接着された磁石３６ｂの接合を検出するマグネットセンサ３２が、磁石３６ｂの接合を検出することにより芳香剤収容室３０内に芳香剤３１が有ることを検出し、検出信号をコントローラ５０に伝達する。
【００７６】
コントローラ５０は、マグネットセンサ３２からの検出信号に基づいて、オゾン生成器２６をオフ制御してオゾンの生成を停止させると共に、切換弁２８を駆動制御して第２の分岐路２３ｃへ気体の流れを切り換える。これによって、冷却器２４によって冷却された気体は、第２の分岐路２３ｃに流れ芳香剤収容室３０内を通過して芳香成分を付与されて、冷気循環生成装置２０Ａの吐出口２１から排出ホース１８を介して、枠体１０内に配設される冷気供給ホース１５を通過して冷気供給ホース１５の吹出口１６から棺桶内に供給される。
【００７７】
以上の動作によって、棺桶内を所望の温度に保持して遺体を保冷して腐敗の進行を防止することができると共に、芳香成分の芳香作用により腐敗臭を紛らわせて、腐敗臭を抑制することができる。この際、オゾン生成器２６をオフ制御してオゾンの生成を停止すると共に、切換弁２８を駆動制御して第２の分岐路２３ｃへ気体の流れを切り換えるため、芳香剤３１の芳香成分がオゾンの分解酸化されることを防止することができる。
【００７８】
このように構成される第２実施形態に係る棺桶保冷装置によれば、第１実施形態と同様の効果、すなわち、棺桶内にオゾンが付与された冷気と芳香成分が付与された冷気を選択的に供給して、芳香成分がオゾンにより失われることを防止し、棺桶内の気体に対してオゾンの脱臭作用と芳香成分の芳香作用を確実に選択的に作用させることができるため、遺体の保冷及び腐敗臭の抑制をすることができる。
【００７９】
また、冷却器２４の気体吐出側の循環路２３Ａは、オゾン生成器２６が介設される第１の分岐路２３ｂと、芳香剤収容室３０が介設される第２の分岐路２３ｃに分岐されており、第１の分岐路２３ｂ又は第２の分岐路２３ｃへの気体の流れを切換える切換弁２８を具備することにより、切換弁２８により第１の分岐路２３ｂ又は第２の分岐路２３ｃへの気体の流れを切り換えて、棺桶内にオゾンが付与された冷気と芳香成分が付与された冷気を選択的に供給することができ、冷気へのオゾンの付与と芳香成分の付与の併用を防止することができると共に、オゾンが付与された冷気が芳香剤収容室３０内を通過するのを防止することができる。これにより、芳香成分がオゾンにより失われることを防止することができるため、遺体の保冷及び腐敗臭の抑制をすることができる。
【００８０】
また、芳香剤収容室３０内の芳香剤３１の有無を検出するマグネットセンサ３２と、マグネットセンサ３２からの検出信号に基づいて、切換弁２８を駆動制御するコントローラ５０とを更に具備してなることにより、芳香剤収容室３０内に芳香剤３１を収容した際に、コントローラ５０は切換弁２８を駆動制御して第２の分岐路２３ｃへ気体の流れを切換えることができるため、棺桶内の気体に対してオゾンの脱臭作用と芳香成分の芳香作用を更に確実に選択的に作用させ、遺体の保冷及び腐敗臭の抑制をすることができる。
【００８１】
上述した第２実施形態に係る棺桶保冷装置は、芳香剤収容室３０内の芳香剤３１の有無を検出するマグネットセンサ３２を設け、コントローラ５０は、マグネットセンサ３２からの検出信号に基づいて、電磁切換弁である切換弁２８を駆動制御したが、切換弁２８を手動切替弁で構成し、切り換え制御を作業者の手動で行ってもよい。例えば、マグネットセンサ３２は設置せず、作業者が、芳香剤収容室３０内に芳香剤３１が充填されたカートリッジ３６を挿嵌した際に、その都度、切換弁２８を手動操作して気体の流れを第２の分岐路２３ｃへ切り換えてもよい。
【００８２】
＜第３，４実施形態＞
上述した第１実施形態に係る棺桶保冷装置は、枠体１０に、一端が供給口１２に連通し、他端側に棺桶内に冷気を吹き出す吹出口１６を有する冷気供給ホース１５を設置したが、図９（ａ）に示すように、枠体１０には、側面に複数の吹出口１６Ａを適宜間隔をおいて形成された冷気供給ホース１５Ａを設けてもよい。
【００８３】
第３実施形態に係る棺桶保冷装置における枠体１０には、図９（ａ）に示すように、一端が供給口１２に連通し、側面に複数の吹出口１６Ａが形成された冷気供給ホース１５Ａを、枠体１０の内周面に沿って略コ字状に設置する。このように構成することにより、棺桶内に供給される冷気を均一化することができる
一方、第４実施形態に係る棺桶保冷装置における枠体１０には、図９（ｂ）に示すように、枠体１０に、供給口１２に連通する冷気供給ホース１５は設置せず、一端が排出口１３に連通し、他端側に棺桶内の気体を排気する吸引口１８ａを有する冷気排気ホース１８を設置してある。冷気排気ホース１８の吸引口１８ａには、ゴミ吸引防止ネット１４により開口を被覆してある。このように構成することにより、供給口１２から直接棺桶内に冷気を供給することができるため冷却効果を高め、遺体の保冷及び腐敗臭の抑制をすることができる。
【００８４】
＜その他の実施形態＞
上述した第１，２実施形態に係る棺桶保冷装置は、冷気循環生成装置２０の図示しない電源プラグを外部電源に接続して棺桶保冷装置に電力を供給したが、図３，図８に想像線で示すように、筺体２０ａ内に配置された蓄電池７０により棺桶保冷装置に電力を供給して稼働させてもよい。
【００８５】
蓄電池７０は、電源から図示しない電源プラグを介して電気を充電することができ、電源が存在しない状況下においても、冷却器２４やファン２５等に電力を供給して棺桶保冷装置を稼働することができる。
【符号の説明】
【００８６】
１  棺桶本体
２  上端開口
５  蓋体
１０  枠体
１２  供給口
１３  排出口
１５，１５Ａ  冷気供給ホース
１６，１６Ａ  吹出口
１７  供給ホース
１８  排出ホース
２０，２０Ａ  冷気循環生成装置
２１  吐出口
２２  吸込口
２３，２３Ａ  循環路
２３ｂ  第１の分岐路
２３ｃ  第２の分岐路
２４  冷却器
２５  ファン（送風器）
２６  オゾン生成器
２７  温度検出センサ
２８  切換弁
３０  芳香剤収容室
３１  芳香剤
３２  マグネットセンサ（芳香剤有無検出センサ）
４０  オゾン吸収フィルタ
５０  コントローラ（制御手段）
【図１】
2012217707.tif 000003
【図２】
2012217707.tif 000004
【図３】
2012217707.tif 000005
【図４】
2012217707.tif 000006
【図５】
2012217707.tif 000007
【図６】
2012217707.tif 000008
【図７】
2012217707.tif 000009
【図８】
2012217707.tif 000010
【図９】
2012217707.tif 000011